(57)【要約】【課題】  オペレータが用紙の第２印刷装置にセットされた用紙の裏面を手で裏返して見て確認してむやみに用紙にダメージを与えず、かつ、無理な体勢で見て確認することによるオペレータの負担を低減することが出来るタンデム連続紙電子写真式印刷装置を提供する。【解決手段】  第２印刷装置内に第１印刷装置で印刷された印刷装置間隔確認マーク及びそのページ番号（デルタページ）を確認できるように鏡を実装し、それに加えて照明装置を有することを特徴とする。【選択図】図４
2009128547.tif 000002
【特許請求の範囲】
【請求項１】
感光体上に形成された潜像を用紙背面から転写コロトロンに高圧電源により高圧電圧を印加し用紙上に転写して熱定着させる電子写真式の第１印刷装置ならびに第２印刷装置と用紙反転装置を使用して両面印刷の出来るタンデム連続紙電子写真式印刷装置において、
前記第１印刷装置により用紙に印刷した印刷装置間隔確認マーク及びそのページ番号を前記第２印刷装置内で目視できるように鏡を実装することを特徴とするタンデム連続紙電子写真式印刷装置。
【請求項２】
前記鏡を凸面鏡にして、反射された印刷装置間隔確認マーク及びそのページ番号を拡大して確認出来るようにしたことを特徴とする請求項１記載のタンデム連続紙電子写真式印刷装置。
【請求項３】
前記鏡は反射方向が調整可能になっていることを特徴とする請求項１記載のタンデム連続紙電子写真式印刷装置。
【請求項４】
感光体上に形成された潜像を用紙背面から転写コロトロンに高圧電源により高圧電圧を印加し用紙上に転写して熱定着させる電子写真式の第１印刷装置ならびに第２印刷装置と用紙反転装置を使用して両面印刷の出来るタンデム連続紙電子写真式印刷装置において、
前記第１印刷装置により用紙に印刷した印刷装置間隔確認マーク及びそのページ番号を前記第２印刷装置内で目視できるように鏡及び照明を実装することを特徴とするタンデム連続紙電子写真式印刷装置。
【発明の詳細な説明】
【技術分野】
【０００１】
本発明は、連続紙電子写真式印刷装置をタンデム接続し、両面印刷を行なうタンデム連続紙電子写真式印刷装置に関するものである。
【背景技術】
【０００２】
タンデム連続紙電子写真式印刷装置では、第１印刷装置と第２印刷装置間の装置間隔をページ数で確認する為、オペレータは第２印刷装置間の決められた位置で用紙を捲って用紙裏の第１印刷装置が印刷した印刷装置間隔確認マーク及びそのページ番号（デルタページ）を確認してページ番号を上位の制御装置に報告する操作をすることによりに、上位の制御装置は第１印刷装置が印刷した印刷装置間隔確認マーク及びそのページ番号（デルタページ）の総ページ数と比較し、第１印刷装置と第２印刷装置間の装置間隔をページ数で確認する。その結果、実際の印刷で上位の制御装置は、第１印刷装置が印刷したページの裏面に実際に印刷すべき内容を第２印刷装置で印刷することが可能となっているタンデム連続紙電子写真式印刷装置が知られている。
【０００３】
【特許文献１】特開平７−２３７３３６号公報
【発明の開示】
【発明が解決しようとする課題】
【０００４】
従来の技術によると、第１印刷装置で用紙に印刷された印刷装置間隔確認マーク及びそのページ番号（デルタページ）は、第２印刷装置にセットされる時に用紙反転装置により、第２印刷装置の印刷面とは反対になる為、オペレータが第１印刷装置で用紙に印刷された印刷装置間隔確認マーク及びそのページ番号（デルタページ）確認しようとする場合、図６に示すように第２印刷装置にセットされた用紙の裏面を手で裏返して見て確認したり、無理な体勢で見て確認する必要があった。
【０００５】
特にコンパクト設計の印刷装置で、幅広で連量の大きい用紙を使用されると用紙の裏面に印刷されている印刷装置間隔確認マーク及びそのページ番号（デルタページ）は、オペレータが用紙を裏返し難く、また、視覚域が暗くなるため確認し難い場合があった。
【０００６】
本発明は、前記問題を解決する為になされるものであり、その目的は、オペレータが用紙の第２印刷装置にセットされた用紙の裏面を手で裏返して見て確認してむやみに用紙にダメージを与えず、かつ、無理な体勢で見て確認することによるオペレータの負担を低減することが出来るタンデム連続紙電子写真式印刷装置を提供することにある。
【課題を解決するための手段】
【０００７】
上記の目的を達成するため本発明は、第２印刷装置の用紙セット部に用紙上に第１印刷装置が印刷した印刷装置間隔確認マーク及びそのページ番号（デルタページ）を映すことが出来る鏡を組み合わせて実装し、またはそれに加え、用紙上に印刷された印刷装置間隔確認マーク及びそのページ番号（デルタページ）を照らす為の照明手段を有することを特徴とするものである。
【発明の効果】
【０００８】
以上に説明した様に本発明によれば、オペレータが容易に印刷装置間隔確認マーク及びそのページ番号（デルタページ）の確認ができるタンデム連続紙電子写真式印刷装置を提供する事が出来る。
【発明を実施するための最良の形態】
【０００９】
以下、本発明の実施例を、図１ないし５を用いて説明する。
【００１０】
図１はタンデム連続紙電子写真式印刷装置を示す図、図２は第２印刷装置１０１内の構成図である。
【００１１】
高圧電源１１５により高圧電圧を印加されたチャージャコロトロン１１４は、モータ１０９により回転動作している感光体ドラム１０８上を帯電する。
【００１２】
その後、ＣＰＵ１２１がドライバ１１３によりレーザダイオード１１２を制御し感光体ドラム１０８上に潜像を形成し、現像ローラ１０５からのトナー１０７をその潜像に静電付着させ、高圧電源１１１により高圧電圧が印加された転写コロトロン１１０によりトナー１０７をトラクタ１０３に掛けられた用紙１０２を、モータ１０４を回転動作させ、感光ドラム１０８−転写コロトロン１１０間、定着ローラ１１７部へと、用紙１０２の用紙サイズを認識しながら紙送りしている用紙１０２上に転写させる。
【００１３】
そして、その用紙１０２上に転写されたトナー１０７の印刷像が、装填されている用紙１０２に適した定着設定温度になるように、温度センサ１２０で定着ローラ１１７の温度を検知しながらヒータランプ１１６をドライバ１１９で点灯制御及び消灯制御される定着ローラ１１７で熱定着する電子写真式印刷装置１０１を２台使用して用紙１０２の両面を印刷するタンデム連続紙電子写真式印刷装置２００がある。
【００１４】
その１台目の第１印刷装置１０１ａと第２印刷装置１０１ｂとの間隔を確認する為、第１印刷装置１０１ａで印刷確認マーク及びそのページ番号（デルタページ）１２２を印刷された用紙１０２は、用紙反転装置２０１で反転され、２台目の第２印刷装置１０１ｂにオペレータ１３０を介して第２印刷装置１０１ｂに装填される。
【００１５】
次に図３ないし５を用いて、用紙１０２の裏面にある印刷装置間隔確認マーク及びそのページ番号（デルタページ）１２２を確認する方法を説明する。用紙１０２の裏面にある印刷装置間隔確認マーク及びそのページ番号（デルタページ）１２２は、トラクタ１０３の下方に実装された反射鏡１２３に反転して映り、その後、オペレータ１３０が実際に確認に使用する反射鏡１２４に反転して映り、結果的に用紙１０２の裏面に印刷された印刷装置間隔確認マーク及びそのページ番号（デルタページ）１２２を正転した状態で確認することが可能になる。
【００１６】
図７は、用紙１０２の裏面にある印刷装置間隔確認マーク及びそのページ番号（デルタページ）１２２を確認する他の実施例を示す図である。オペレータ１３０により第２印刷装置１０１ｂに装填された用紙１０２の裏面にある印刷装置間隔確認マーク及びそのページ番号（デルタページ）１２２は、トラクタ１０３の下方に実装された反射鏡１２３に反転して映る。
【００１７】
その後、オペレータ１３０が実際に確認する凸面鏡型の反射鏡１２４に反転及び拡大して映り、結果的に用紙１０２の裏面に印刷された印刷装置間隔確認マーク及びそのページ番号（デルタページ）１２２を正転した状態で且つ拡大されて見易い状態で確認することが可能になる。
【００１８】
図８および図９は、用紙１０２の裏面にある印刷装置間隔確認マーク及びそのページ番号（デルタページ）１２２を確認する他の実施例を示す図である。オペレータ１３０により第２印刷装置１０１ｂに装填された用紙１０２の裏面にある印刷装置間隔確認マーク及びそのページ番号（デルタページ）１２２は、トラクタ１０３の下方に実装された反射鏡１２３に反転して映る。
【００１９】
その後、オペレータ１３０が実際に確認する反射面の角度調整が可能な反射鏡１２４に反転して映り、結果的に用紙１０２の裏面に印刷された印刷装置間隔確認マーク及びそのページ番号（デルタページ）１２２を正転した状態で且つオペレータ１３０が見易い反射位置で確認することが可能になる。
【００２０】
図１０は、用紙１０２の裏面にある印刷装置間隔確認マーク及びそのページ番号（デルタページ）１２２を確認する他の実施例を示す図である。オペレータ１３０により第２印刷装置１０１ｂに装填された用紙１０２の裏面にある印刷装置間隔確認マーク及びそのページ番号（デルタページ）１２２は、トラクタ１０３の下方に実装された反射鏡１２３に反転して映る。
【００２１】
その後、オペレータ１３０が実際に確認する反射鏡１２４に反転して映り、結果的に用紙１０２の裏面に印刷された印刷装置間隔確認マーク及びそのページ番号（デルタページ）１２２を正転した状態で確認する時、第２印刷装置１０１ｂに装填されている用紙１０２の用紙幅が広く、また、連量が大きい（用紙厚が厚い）場合、用紙１０２の裏面に印刷されている印刷装置間隔確認マーク及びそのページ番号（デルタページ）１２２の周辺が暗くなる為、オペレータ１３０が第２印刷装置１０１ｂに設けられたパネルスイッチ１２５を押下する事により、ドライバ１２６が照明装置１２７を点灯させ、用紙１０２の裏面に印刷されている印刷装置間隔確認マーク及びそのページ番号（デルタページ）１２２の周辺を照らすことにより、オペレータ１３０が反射鏡１２４で明確に印刷装置間隔確認マーク及びそのページ番号（デルタページ）１２２を確認することが可能になる。
【産業上の利用可能性】
【００２２】
レーザビームプリンタなどの電子写真式印刷装置をタンデム接続し、両面印刷を行なうタンデム連続紙電子写真式印刷装置において、用紙上に印刷された印刷装置間隔確認マーク及びそのページ番号（デルタページ）を確認するのに有効である。
【図面の簡単な説明】
【００２３】
【図１】本発明の実施例に係るタンデム連続紙電子写真式印刷装置を示す図である。
【図２】そのタンデム連続紙電子写真式印刷装置の第２印刷装置の概略構成図である。
【図３】本発明の印刷装置間隔確認マーク及びそのページ番号（デルタページ）を確認するための説明図である。
【図４】本発明の印刷装置間隔確認マーク及びそのページ番号（デルタページ）を確認するための説明図である。
【図５】本発明の印刷装置間隔確認マーク及びそのページ番号（デルタページ）を確認するための説明図である。
【図６】従来の印刷装置間隔確認マーク及びそのページ番号（デルタページ）を確認するための説明図である。
【図７】本発明の印刷装置間隔確認マーク及びそのページ番号（デルタページ）を確認するための他の説明図である。
【図８】本発明の印刷装置間隔確認マーク及びそのページ番号（デルタページ）を確認するための他の説明図である。
【図９】本発明の印刷装置間隔確認マーク及びそのページ番号（デルタページ）を確認するための他の説明図である。
【図１０】本発明の印刷装置間隔確認マーク及びそのページ番号（デルタページ）を確認するための他の説明図である。
【符号の説明】
【００２４】
１０１は電子写真式印刷装置、１０２は用紙、１０３はトラクタ、１０４はモータ、１０５は現像ローラ、１０６はモータ、１０７はトナー、１０８は感光ドラム、１０９はモータ、１１０は転写コロトロン、１１１は高圧電源、１１２はレーザダイオード、１１３はドライバ、１１４は帯電器、１１５は高圧電源、１１６はヒータランプ、１１７は定着ローラ、１１８はモータ、１１９はドライバ、１２１はＣＰＵ、１２２は印刷装置間隔確認マーク及びそのページ番号（デルタページ）、１２３，１２４は反射鏡、１２５はパネルスイッチ、１２６はドライバ、１２７は照明装置、１３０はオペレータ、１０１ａは第１印刷装置、１０１ｂ第２印刷装置、２００はタンデム連続紙電子写真式印刷装置、２０１は用紙反転装置、２０２は用紙搬送力補助装置、２０３はターンバー、２０４はローラ、１２０は温度センサである。
【図１】
2009128547.tif 000003
【図２】
2009128547.tif 000004
【図３】
2009128547.tif 000005
【図４】
2009128547.tif 000006
【図５】
2009128547.tif 000007
【図６】
2009128547.tif 000008
【図７】
2009128547.tif 000009
【図８】
2009128547.tif 000010
【図９】
2009128547.tif 000011
【図１０】
2009128547.tif 000012